(57)【要約】【課題】壁際掃除時の掃除性能向上を図ることができ、かつ、被清掃面が摩擦等の大きい面であっても、吸込具の吸い込み性能の不安定化等を抑制できる吸込具等を提供する。【解決手段】吸込具１００は、底面部１１７に吸込口１１３が形成された吸込口体１１０と、吸込口体１１０のブラシ室１１４内に吸込口１１３に臨んで設けられた回転ブラシ１３０と、弾性体からなり吸込口体１１０の前端部に配置されブラシ室１１４の前側の内壁面を形成するバンパー２００とを備える。バンパー２００は、回転ブラシ１３０の回転軸１３１よりも底面部１１７側における前後方向の厚みが、回転軸１３１と同じ上下位置における前後方向の厚みよりも大きい肉厚部２１０を有する。肉厚部２１０におけるブラシ室１１４の前側の内壁面は、回転軸１３１と同じ上下位置におけるブラシ室１１４の前側の内壁面よりも後側に配置される。【選択図】図７
2020039407.tif 000002
【特許請求の範囲】
【請求項１】
被清掃面と平行に配置可能な底面部に吸込口が形成された吸込口体と、
前記吸込口体の内部に前記吸込口と通じて形成されたブラシ室の内側に、前記吸込口に臨んで設けられた回転ブラシと、
弾性体からなり、前記吸込口体の前端部に配置され、前記ブラシ室の前側の内壁面の少なくとも一部を形成するバンパーと、を備え、
前記バンパーは、前記回転ブラシの回転軸よりも前記底面部側における少なくとも一部の前後方向の厚みが、前記回転軸と同じ上下位置における前後方向の厚みよりも大きい肉厚部を有し、
前記肉厚部における前記ブラシ室の前側の内壁面は、前記回転軸と同じ上下位置における前記ブラシ室の前側の内壁面よりも後側に配置される吸込具。
【請求項２】
前記バンパーの前面から下端にかけて形成された斜面部を備えた請求項１に記載の吸込具。
【請求項３】
前記バンパーの前面から下端にかけて形成された曲面部を備えた請求項１に記載の吸込具。
【請求項４】
前記肉厚部における前記ブラシ室の前側の内壁面は、前記回転ブラシの外形に合わせた円弧状に湾曲している請求項１から請求項３のいずれか一項に記載の吸込具。
【請求項５】
請求項１から請求項４のいずれか一項に記載の吸込具と、
前記吸込口から吸い込む吸引風を生成する電動送風機と、を備えた電気掃除機。
【発明の詳細な説明】
【技術分野】
【０００１】
この発明は、吸込具及び電気掃除機に関するものである。
【背景技術】
【０００２】
下面に吸込口を有する吸込具本体と、吸込口に臨ませて吸込具本体内に収納される回転ブラシとを備え、吸込具本体の前壁を弾性体で形成し、回転ブラシを弾性体に当接させて振動させる位置に配置した吸込具が知られている（例えば、特許文献１参照）。
【先行技術文献】
【特許文献】
【０００３】
【特許文献１】特許第３７８９７８２号公報
【発明の概要】
【発明が解決しようとする課題】
【０００４】
特許文献１に示されるような吸込具では、吸込具本体の前壁を弾性体で形成することで、吸込具の前壁自体に緩衝能力のあるバンパーとしての機能を持たせるとともに、この前壁を薄くして回転ブラシをより前に配置できるため、壁際を掃除する際に壁のより近くにまで回転ブラシを届かせることが可能である。しかしながら、このような吸込具では、吸込具本体の前壁（バンパー）を形成する弾性体が変形しやすく、吸込具本体のバンパーが必要以上に変形してしまう。そして、バンパーが必要以上に変形することで、吸込具の吸い込み性能が低下してしまう。
【０００５】
具体的に例えば、被清掃面が絨毯等の摩擦又は抵抗の大きい面である場合、絨毯の上で吸込具を前後に動かす際に、バンパーの下端部が絨毯の抵抗に耐えきれず大きく変形する。このため、バンパー側（前側）から底面の吸込口へと取り込まれる風量及び風速にばらつきが発生し、結果として吸込具の吸い込み性能が不安定化してしまうか、又は低下してしまう。
【０００６】
この発明は、このような課題を解決するためになされたものである。その目的は、壁際を掃除する際に壁のより近くにまで回転ブラシを届かせることが可能であって、壁際掃除時の掃除性能向上を図ることができ、かつ、被清掃面が絨毯等の摩擦又は抵抗の大きい面であっても、吸込具の吸い込み性能の不安定化又は低下を抑制できる吸込具及び電気掃除機を提供することにある。
【課題を解決するための手段】
【０００７】
この発明に係る吸込具は、被清掃面と平行に配置可能な底面部に吸込口が形成された吸込口体と、前記吸込口体の内部に前記吸込口と通じて形成されたブラシ室の内側に、前記吸込口に臨んで設けられた回転ブラシと、弾性体からなり、前記吸込口体の前端部に配置され、前記ブラシ室の前側の内壁面の少なくとも一部を形成するバンパーと、を備え、前記バンパーは、前記回転ブラシの回転軸よりも前記底面部側における少なくとも一部の前後方向の厚みが、前記回転軸と同じ上下位置における前後方向の厚みよりも大きい肉厚部を有し、前記肉厚部における前記ブラシ室の前側の内壁面は、前記回転軸と同じ上下位置における前記ブラシ室の前側の内壁面よりも後側に配置される。
【０００８】
この発明に係る電気掃除機は、上述のように構成された吸込具と、前記吸込口から吸い込む吸引風を生成する電動送風機と、備える。
【発明の効果】
【０００９】
この発明に係る吸込具及び電気掃除機によれば、壁際を掃除する際に壁のより近くにまで回転ブラシを届かせることが可能であって、壁際掃除時の掃除性能向上を図ることができ、かつ、被清掃面が絨毯等の摩擦又は抵抗の大きい面であっても、吸込具の吸い込み性能の不安定化又は低下を抑制できるという効果を奏する。
【図面の簡単な説明】
【００１０】
【図１】この発明の実施の形態１に係る吸込具を備えた電気掃除機の斜視図である。
【図２】この発明の実施の形態１に係る吸込具を上から見た斜視図である。
【図３】この発明の実施の形態１に係る吸込具の底面図である。
【図４】この発明の実施の形態１に係る吸込具が備える回転ブラシの斜視図である。
【図５】この発明の実施の形態１に係る吸込具の横断面図である。
【図６】この発明の実施の形態１に係る吸込具の縦断面図である。
【図７】図５の要部を拡大して示す図である。
【図８】この発明の実施の形態１に係る吸込具を壁際に配置した状態を示す縦断面図である。
【図９】この発明の実施の形態２に係る吸込具の一例を示す縦断面図である。
【図１０】この発明の実施の形態２に係る吸込具の別例を示す縦断面図である。
【発明を実施するための形態】
【００１１】
この発明を実施するための形態について添付の図面を参照しながら説明する。各図において、同一又は相当する部分には同一の符号を付して、重複する説明は適宜に簡略化又は省略する。なお、本発明は以下の実施の形態に限定されることなく、本発明の趣旨を逸脱しない範囲で種々変形することが可能である。
【００１２】
実施の形態１．
図１から図８は、この発明の実施の形態１に係るものである。図１は吸込具を備えた電気掃除機の斜視図である。図２は吸込具を上から見た斜視図である。図３は吸込具の底面図である。図４は吸込具が備える回転ブラシの斜視図である。図５は吸込具の横断面図である。図６は吸込具の縦断面図である。図７は図５の要部を拡大して示す図である。そして、図８は吸込具を壁際に配置した状態を示す縦断面図である。
【００１３】
この実施の形態に係る吸込具１００は、被清掃面上のごみ（塵埃）を空気と一緒に吸い込むためのものである。被清掃面は、例えば、絨毯、フローリング、畳等の床面、家具の上面等である。吸込具１００の構成については後述する。この実施の形態に係る吸込具１００を備えた電気掃除機１は、図１に示すように、吸込具１００の他に、掃除機本体１０、吸引ホース２０、接続パイプ３０及び延長パイプ４０を備えている。延長パイプ４０は、中空円筒状を呈する直状の部材からなる。延長パイプ４０の一側（吸気側）の端部は、吸込具１００に接続される。
【００１４】
接続パイプ３０は、途中で折れ曲がった中空円筒状の部材からなる。接続パイプ３０の一側（吸気側）の端部は、延長パイプ４０の他端部に接続される。接続パイプ３０には、ハンドル３１が設けられている。ハンドル３１は、電気掃除機１の使用者が持って操作するためのものである。ハンドル３１には、電気掃除機１の運転を制御するための操作部３２が設けられている。
【００１５】
ハンドル３１は、少なくとも部分的に、ゲル等の軟質材で形成されてもよい。ハンドル３１が少なくとも部分的に軟質材で形成されることで、ハンドル３１を把持する手との間での摩擦力を増大させるとともに、使用者がハンドル３１を握りやすくなる。その結果、電気掃除機１及び吸込具１００の操作性を向上させることができる。また、ハンドル３１は、次に述べる吸引ホース２０より軟らかい材質で形成されてもよい。
【００１６】
吸引ホース２０は、可撓性を備えた蛇腹状を呈する中空な部材からなる。吸引ホース２０の一側（吸気側）の端部は、接続パイプ３０の他端部に接続される。
【００１７】
掃除機本体１０は、塵埃を含む空気（含塵空気）から塵埃を分離し、塵埃が取り除かれた空気（清浄空気）を排出する（例えば、室内に戻す）ためのものである。掃除機本体１０には、前側端部にホース接続口１４が形成されている。吸引ホース２０の他端部は、掃除機本体１０のホース接続口１４に接続される。
【００１８】
掃除機本体１０は、電動送風機１５及び電源コード（図示せず）を備えている。電源コードは、掃除機本体１０内部のコードリール部（図示せず）に巻き付けられている。電源コードが外部電源に接続されることにより、電動送風機１５等の内部機器が通電する。電動送風機１５は、通電によって駆動し、操作部３２に対する操作に応じて予め設定された吸引動作を行う。
【００１９】
吸込具１００、延長パイプ４０、接続パイプ３０、吸引ホース２０は、内部が一続きに形成されている。電動送風機１５が吸引動作を行うと、床面上の塵埃が空気と一緒に吸込具１００に吸い込まれる。吸込具１００に吸い込まれた含塵空気は、吸込具１００、延長パイプ４０、接続パイプ３０、吸引ホース２０の各内部を通って、掃除機本体１０に送られる。このように、吸込具１００、延長パイプ４０、接続パイプ３０、吸引ホース２０は、外部から掃除機本体１０の内部に含塵空気を流入させるための風路を形成する。
【００２０】
掃除機本体１０は、集塵ユニット１１を備えている。集塵ユニット１１は、掃除機本体１０に着脱自在に設けられている。また、掃除機本体１０には、前述した電動送風機１５、電源コード、コードリール部等の各種機器が収容されている。掃除機本体１０は、車輪１２を備えている。掃除機本体１０には、図示しない排気口が形成されている。
【００２１】
集塵ユニット１１は、含塵空気から塵埃を分離し、分離した塵埃を一時的に溜めておくためのものである。ここで説明する構成例では、集塵ユニット１１は、内部で含塵空気を旋回させることにより、遠心力によって塵埃を空気から分離する。すなわち、集塵ユニット１１は、サイクロン分離機能を有している。
【００２２】
電動送風機１５が吸引動作を開始すると、電気掃除機１に形成された各風路、すなわち、掃除機本体１０の内部に含塵空気を流入させるための風路、吸気風路、集塵ユニット１１内の風路、及び、排気風路（図示せず）に、気流が発生する。したがって、電動送風機１５により、吸込具１００の後述する吸込口１１３から吸い込む吸引風が生成される。
【００２３】
吸込口１１３から吸込具１００に吸い込まれた含塵空気は、ホース接続口１４から掃除機本体１０の内部に取り込まれる。掃除機本体１０の内部に流入した含塵空気は、吸気風路を経て、集塵ユニット１１に送られる。集塵ユニット１１の内部では、含塵空気が旋回し塵埃が分離される。そして、塵埃が取り除かれて清浄化された空気が、集塵ユニット１１から排出される。集塵ユニット１１から排出された空気（清浄空気）は、掃除機本体１０内に形成された排気風路に流入し、排気風路内において電動送風機１５を通過する。電動送風機１５を通過した空気は、排気風路をさらに進み、排気口から掃除機本体１０の外部に排出される。
【００２４】
次に、図２から図７を参照しながら、この実施の形態に係る吸込具１００の構成について説明する。図２に示すように、吸込具１００は、吸込口体１１０と連結管１２０とを備えている。吸込口体１１０は、主に上ケース１１１と下ケース１１２とが組み合わされて構成されている。吸込口体１１０は、平面視で横長な矩形状の直方体状を呈する。吸込口体１１０の平面視における長手方向すなわち左右方向の長さは、例えば１０ｃｍ以上かつ３０ｃｍ以下である。
【００２５】
吸込口体１１０の後端部における左右中央には、回動管１２２を介して連結管１２０の一端が接続されている。回動管１２２は、左右方向に延びる回動軸を有している。回動管１２２の回動軸の左右両端部は、上ケース１１１と下ケース１１２との間に挟まれている。回動管１２２は、この回動軸を中心にして吸込口体１１０に対して回動可能に取り付けられる。回動管１２２と連結管１２０とは、これらの管軸が合致し、かつ、これらの管軸を中心にして回動可能に接続されている。連結管１２０の他端には、吸引口１２１が形成されている。連結管１２０の吸引口１２１側の端部には、延長パイプ４０又は接続パイプ３０の一端が接続可能である。
【００２６】
図３に示す吸込口体１１０の底面部１１７は、清掃時に被清掃面に対向し当該被清掃面と平行に配置される部位である。同図に示すように、底面部１１７には、吸込口１１３となる開口が形成されている。吸込口１１３は、底面部１１７における前方寄りの位置に配置されている。吸込口１１３は、左右方向に長手を有する横長な矩形状を呈する。吸込口１１３の左右長手方向の長さは、吸込口体１１０の底面部１１７の左右長手方向の長さより短い。吸込口１１３は、底面部１１７における左右のほぼ中央に配置されている。したがって、底面部１１７の一部は、吸込口１１３の左右両縁の外側にまで延在している。
【００２７】
吸込口１１３には、回転ブラシ１３０が設けられている。吸込口体１１０の内部には、横長のブラシ室１１４が形成されている。ブラシ室１１４は、吸込口１１３及び吸引口１２１のそれぞれと通じている。回転ブラシ１３０は、ブラシ室１１４の内側に収容されている。回転ブラシ１３０は、ブラシ室１１４内から吸込口１１３を臨むようにして配置されている。吸込具１００の内部において、吸込口１１３、ブラシ室１１４及び吸引口１２１が通じている。吸込口１１３から吸い込まれた含塵空気は、吸引口１２１から排出される。
【００２８】
回転ブラシ１３０は、被清掃面上の塵埃を掻き取るためのものである。図４に示すように、回転ブラシ１３０は、清掃体保持部１３３及び清掃体１３４を備えている。清掃体保持部１３３は、周囲に複数の螺旋状の谷部１３５が形成された円筒状の部材である。清掃体１３４は、清掃体保持部１３３の谷部１３５同士の間に螺旋状に突出して設けられている。清掃体１３４は、被清掃面上の塵埃を掻き取るためのものである。清掃体１３４は、ゴム等の弾性を有する素材からなるブレード、繊維質のブラシ毛等である。
【００２９】
なお、ここでは、回転ブラシ１３０に設けられている谷部１３５及び清掃体１３４の個数は、それぞれ４つである。しかし、この個数は４に限られず、２以上であればいくつであってもよい。また、複数の清掃体１３４のそれぞれの長さを異なるものとしてもよい。
【００３０】
清掃体保持部１３３の円筒形の中心軸に沿って、回転ブラシ１３０の回転軸１３１が形成されている。回転ブラシ１３０の回転軸１３１の一端側には、持ち手１３２が設けられている。
【００３１】
回転ブラシ１３０は、吸込口体１１０に着脱可能に取り付けられる。回転ブラシ１３０が吸込口体１１０に取り付けられた状態では、回転ブラシ１３０の持ち手１３２が、吸込口体１１０の一側面に露出している。使用者は、持ち手１３２を持って予め定められた着脱操作を行うことで、吸込口体１１０に対して回転ブラシ１３０を回転軸１３１方向に抜き差しして着脱できる。回転ブラシ１３０を吸込口体１１０に取り付けた状態では、回転ブラシ１３０の回転軸１３１は、吸込口１１３の左右の両縁よりも外側において支持されている。
【００３２】
図５に示すように、吸込口体１１０内のブラシ室１１４の後方には、駆動モータ１５０及び制御部１６０が収容されている。駆動モータ１５０及び制御部１６０は、連結管１２０の吸込口体１１０への接続部分を挟んで、左右にそれぞれ配置されている。すなわち、駆動モータ１５０は、連結管１２０の吸込口体１１０への接続部分よりも、左右の一側に配置されている。そして、制御部１６０は、連結管１２０の吸込口体１１０への接続部分よりも、左右の他側に配置されている。
【００３３】
駆動モータ１５０の駆動軸の回転は、ベルト１５１により回転ブラシ１３０に伝達される。このようにして、回転ブラシ１３０は、駆動モータ１５０により回転駆動される。制御部１６０には、駆動モータ１５０の動作を制御するための電気回路等が搭載されている。
【００３４】
図３に示すように、吸込口体１１０には、スパチュラ１１５が設けられている。スパチュラ１１５は、吸込口体１１０の底面部１１７における吸込口１１３の後側縁部に沿い、左右方向にわたって配置されている。このスパチュラ１１５は、フローリング床等の磨き効果の他に、以下のような機能等を有する。まず、吸込口１１３に後側から空気が多量に吸い込まれて吸引力が低下するのを抑えるシール機能である。次に、吸込口体１１０の前進時に吸い込めなかった塵埃等が後側に漏れるのを防ぐ機能である。
【００３５】
吸込口体１１０には、第１の吸込具車輪１４１及び第２の吸込具車輪１４２が設けられている。第１の吸込具車輪１４１は、吸込口体１１０の底面部１１７における後端中央部に一対設けられている。
【００３６】
第２の吸込具車輪１４２は、吸込口体１１０の底面部１１７における吸込口１１３の後方の一側に設けられている。第２の吸込具車輪１４２は、底面部１１７に対し上下動可能に取り付けられている。第２の吸込具車輪１４２は、図示しない安全スイッチと連動している。すなわち、安全スイッチは、第２の吸込具車輪１４２の上下動に応じてＯＮ／ＯＦＦされる。第２の吸込具車輪１４２は、吸込口体１１０が被清掃面から浮いている状態では第１の吸込具車輪１４１よりも底面部１１７から突出するように例えばばね等で付勢されている。第２の吸込具車輪１４２が突出した状態では、安全スイッチはＯＦＦである。安全スイッチがＯＦＦの状態では、駆動モータ１５０の回転が禁止される。吸込口体１１０が被清掃面に接地して第２の吸込具車輪１４２が押し込まれると、安全スイッチがＯＮになる。安全スイッチがＯＮの状態では、駆動モータ１５０の回転が可能となる。
【００３７】
吸込口体１１０の底面部１１７の前側における左右両側には、車輪の代わりに起毛布体１１６が設けられている。起毛布体１１６は、起毛された軟質繊維の集合体を有している。軟質繊維は、例えばポリエステル材等からなる。起毛布体１１６は、繊維の根元部分が吸込口体１１０に粘着又は接着されて固定されている。起毛布体１１６の起毛繊維は、短毛の傾斜パイルとしてもよい。
【００３８】
図２、図３及び図６等に示すように、吸込口体１１０は、バンパー２００を備えている。バンパー２００は、吸込口体１１０の少なくとも前端部に設けられる。ここで説明する構成例では、バンパー２００は、吸込口体１１０の前面から左右の両側面にわたって設けられている。バンパー２００は、例えば、バンパー２００の上端側を上ケース１１１と下ケース１１２との間で挟み込むことで取り付けられる。バンパー２００は、弾性体からなる。具体的に例えばエラストマー、塩化ビニル樹脂、ゴム等を用いて、バンパー２００が形成される。
【００３９】
次に、図７を参照しながら、バンパー２００の構成について、さらに詳しく説明する。バンパー２００は、ブラシ室１１４の前側の内壁面の少なくとも一部を形成している。バンパー２００は、肉厚部２１０を有している。肉厚部２１０は、回転ブラシ１３０の回転軸１３１よりも底面部１１７側における少なくとも一部の前後方向の厚みが、回転軸１３１と同じ上下位置における前後方向の厚みよりも大きい部位である。
【００４０】
肉厚部２１０は、回転軸１３１と同じ上下位置からバンパー２００の下端にわたって形成されている。肉厚部２１０におけるブラシ室１１４の前側の内壁面は、回転軸１３１と同じ上下位置におけるブラシ室１１４の前側の内壁面よりも後側に配置されている。具体的に、ここで示す構成例では、肉厚部２１０におけるブラシ室１１４の前側の内壁面は、回転ブラシ１３０の外形に合わせた円弧状に湾曲した円弧部２１１を有している。
【００４１】
ここでいう回転ブラシ１３０の外形とは、回転ブラシ１３０の最も外側の部分の回転軌跡のことである。すなわち、前述したように、回転ブラシ１３０が複数の長さの清掃体１３４を有している場合には、回転ブラシ１３０の回転時に、最も長い清掃体１３４の先端が描く軌跡が回転ブラシ１３０の外形になる。
【００４２】
したがって、肉厚部２１０は、回転軸１３１よりも下側において、下にいくほど厚みが増すようになっている。なお、肉厚部２１０におけるブラシ室１１４の前側の内壁面は、回転ブラシ１３０の外形に当接又は近接している。
【００４３】
以上のように構成された吸込具１００においては、弾性体からなるバンパー２００により、吸込口体１１０の前側の外壁とブラシ室１１４の前側の内壁面の少なくとも一部の両方を形成している。このため、吸込口体１１０の前端での緩衝機能を備えつつも、吸込具１００（吸込口体１１０）の前壁自体に緩衝能力のあるバンパーとしての機能を持たせつつ、この前壁を薄くして回転ブラシ１３０をより前に配置できる。そして、この際、バンパー２００における回転軸１３１よりも先端側に肉厚部２１０を形成することで、つまり、逆に言えば、回転ブラシ１３０の回転軸１３１に近い部分のブラシ室１１４の前側の内壁を凹ませて、吸込口体１１０内における回転ブラシ１３０の位置を、より前側にすることができる。
【００４４】
具体的には、図８に示すように、吸込具１００を用いた壁際の掃除時に、吸込口体１１０の前端のバンパー２００を壁面に接するように押し付けた際、壁面から回転ブラシ１３０の前端までの距離Ａ、及び、壁面から回転ブラシ１３０の接地点までの距離Ｂの両方を小さくすることができる。このため、壁際を掃除する際に壁のより近くにまで回転ブラシ１３０を届かせることができ、壁際掃除時の掃除性能向上を図ることが可能である。
【００４５】
また、バンパー２００の先端側に形成した肉厚部２１０は、回転軸１３１よりも底面部１１７側における少なくとも一部の前後方向の厚みが、回転軸１３１と同じ上下位置における前後方向の厚みよりも大きい部位である。よって、バンパー２００の回転軸１３１よりも上側の部分と比較して、肉厚部２１０は前後方向に弾性変形しにくい。このため、例えば絨毯等の摩擦又は抵抗の大きい被清掃面上で吸込口体１１０を前後に動かした際、バンパー２００の下端部が、肉厚部２１０により被清掃面との摩擦に抗して変形しにくくなる。
【００４６】
また、肉厚部２１０におけるブラシ室１１４の前側の内壁面は、回転軸１３１と同じ上下位置におけるブラシ室１１４の前側の内壁面よりも後側に配置されている。このため、吸込口体１１０を前に動かした際にバンパー２００が変形したとしても、肉厚部２１０が回転ブラシ１３０に当接することで、これ以上のバンパー２００の変形が抑制される。よって、清掃時におけるバンパー２００の変形をさらに抑制できる。
【００４７】
そして、バンパー２００の変形を抑制することで、バンパー２００側（前側）から吸込口１１３へと取り込まれる風量及び風速を安定化させることが可能である。すなわち、被清掃面が絨毯等の摩擦又は抵抗の大きい面であっても、吸込具１００の吸い込み性能の不安定化又は低下を抑制できる。
【００４８】
さらに、肉厚部２１０におけるブラシ室１１４の前側の内壁面を、回転ブラシ１３０の外形に合わせた円弧状に湾曲した円弧部２１１とすることで、バンパー２００自体の強度を向上させるとともに、ブラシ室１１４内の真空度を大きくでき、吸込口体１１０の吸い込み性能向上を図ることが可能である。
【００４９】
なお、ここで説明した構成例では、電気掃除機１はキャニスタータイプであったが、この実施の形態に係る吸込具１００が適用できる掃除機のタイプはこれに限られない。他に例えば、電気掃除機１は、スティックタイプ、コードレスタイプ等であってもよい。
【００５０】
実施の形態２．
図９及び図１０は、この発明の実施の形態２に係るものである。図９は吸込具の一例を示す縦断面図である。そして、図１０は吸込具の別例を示す縦断面図である。
【００５１】
ここで説明する実施の形態２は、前述した実施の形態１の構成において、バンパーの下端部の前方側を面取りしたものである。以下、この実施の形態２に係る吸込具及び電気掃除機について、実施の形態１との相違点を中心に説明する。説明を省略した構成については実施の形態１と基本的に同様である。
【００５２】
ここでは、この実施の形態に係る吸込具１００について、２つの構成例を挙げて説明する。まず、第１の構成例では、図９に示すように、バンパー２００は、斜面部２１２を備えている。斜面部２１２は、バンパー２００の前面から下端にかけて形成される。斜面部２１２により、バンパー２００の先端部（下端部）と被清掃面との間隔は、前から後ろに行くに従って次第に狭くなる。
【００５３】
以上のように構成された吸込具１００及び電気掃除機１によれば、吸込口体１１０の前側からの気流が、バンパー２００と被清掃面との間を通過する際に急激に絞られて乱流を起こして風速が低下しまうことがない。すなわち、吸込口体１１０の前側からの気流は、バンパー２００の下端の斜面部２１２により、徐々に絞られて風速が増加される。このため、図９中の矢印で示すように吸込口体１１０の前側から吸込口１１３へと円滑に気流を導入でき、吸込具１００の吸い込み性能向上を図ることが可能である。また、特に絨毯等の摩擦又は抵抗の大きい被清掃面上において、吸込口体１１０を移動させる際の抵抗を軽減でき、吸引性能と使い勝手が両立した吸込具１００を得ることができる。
【００５４】
次に、第２の構成例では、図１０に示すように、バンパー２００は、曲面部２１３を備えている。曲面部２１３は、バンパー２００の前面から下端にかけて形成される。曲面部２１３により、バンパー２００の先端部（下端部）と被清掃面との間隔は、前から後ろに行くに従って次第に狭くなる。この際、曲面部２１３の断面における曲率半径は、肉厚部２１０の前後方向の厚みの最大よりも大きくするとよい。
【００５５】
以上のように構成された吸込具１００及び電気掃除機１においても、吸込口体１１０の前側からの気流が、バンパー２００と被清掃面との間を通過する際に急激に絞られて乱流を起こして風速が低下しまうことがない。すなわち、吸込口体１１０の前側からの気流は、バンパー２００の下端の曲面部２１３により整流されるため、図１０中の矢印で示すように吸込口体１１０の前側から吸込口１１３へと円滑に気流を導入できる。したがって、吸込具１００の吸い込み性能向上を図ることができる。また、特に絨毯等の摩擦又は抵抗の大きい被清掃面上において、吸込口体１１０を移動させる際の抵抗を軽減でき、吸引性能と使い勝手が両立した吸込具１００を得ることができる。
【符号の説明】
【００５６】
１    電気掃除機
１０    掃除機本体
１１    集塵ユニット
１２    車輪
１４    ホース接続口
１５    電動送風機
２０    吸引ホース
３０    接続パイプ
３１    ハンドル
３２    操作部
４０    延長パイプ
１００    吸込具
１１０    吸込口体
１１１    上ケース
１１２    下ケース
１１３    吸込口
１１４    ブラシ室
１１５    スパチュラ
１１６    起毛布体
１１７    底面部
１２０    連結管
１２１    吸引口
１２２    回動管
１３０    回転ブラシ
１３１    回転軸
１３２    持ち手
１３３    清掃体保持部
１３４    清掃体
１３５    谷部
１４１    第１の吸込具車輪
１４２    第２の吸込具車輪
１５０    駆動モータ
１５１    ベルト
１６０    制御部
２００    バンパー
２１０    肉厚部
２１１    円弧部
２１２    斜面部
２１３    曲面部
【図１】
2020039407.tif 000003
【図２】
2020039407.tif 000004
【図３】
2020039407.tif 000005
【図４】
2020039407.tif 000006
【図５】
2020039407.tif 000007
【図６】
2020039407.tif 000008
【図７】
2020039407.tif 000009
【図８】
2020039407.tif 000010
【図９】
2020039407.tif 000011
【図１０】
2020039407.tif 000012